(57)【特許請求の範囲】
【請求項１】
主面に複数の表示窓が穿孔された基体と、
前記基体の背面側に取り付けられ各々の前記表示窓に対応した位置にそれぞれ表示灯を搭載し外部へ延びる配線束が接続される回路板と、
前記基体の背面に立設された概略逆Ｊ字状を成し前記配線束を整線する整線フックと、
前記整線フックの整線方向に並び、かつ、前記基体の側壁面の配線束が通過する位置に設けられた一対の整線枠口と、を有する表示ユニットであって、
前記整線フックは、前記一対の整線枠口を結ぶ直線から偏倚していることを特徴とする表示ユニット。
【請求項２】
前記整線フックの屈曲部外周に滑り止め手段を設けたことを特徴とする請求項１記載の表示ユニット。
【発明の詳細な説明】
【０００１】
【発明の属する技術分野】
この発明は、複数の火災感知器が一つの回線につながれ各回線毎の火災を感知し報知できるＰ型火災受信機に関し、特にこのような火災受信機に接続され火災の発生した箇所を表示・警告する火災表示機等の火災報知装置に関するものである。
【０００２】
【従来の技術】
多数の火災感知器を一つの回線につなぎ、この回線において発生した火災を感知し報知できるようにしたＰ型火災受信機が従来より提案されている。このような火災受信機には多数の火災感知器からの配線が集められ、各火災感知器からの信号を管理する。このような構成の火災受信機には、火災表示機が併設されることがある。このような火災受信機や火災表示機には、各回線に１対１に対応して設けられ火災が発生した箇所を報知する複数の表示灯が設けられている。
【０００３】
この火災受信機は、例えば守衛所等の集中管理室に設けられ、火災時にその発報回線に対応する表示灯を点灯させて管理者に火災箇所を知らせる。また、例えば病院等であれは集中管理室から離れた例えばナースステーションに火災表示機を設けて、火災受信機からの信号を移報すると、ナースステーションにおいても火災の発生場所を確認できることとなる。
【０００４】
【発明が解決しようとする課題】
このような構成の従来の火災報知装置、例えば火災表示機においては、各表示灯に対してコモン線と信号線が接続される。そのため、火災表示機の盤内には多くの配線が引き回されることとなる。この引き回された配線は、従来、整線具としてのインシュロックタイにより束ねられていた。
【０００５】
しかしながら、このインシュロックタイを用いるには、インシュロックタイのマウントを盤内に取り付ける必要がある。そして、このマウントを取り付ける為のスペースを確保するために、火災表示機の筐体が大きくなってしまう課題が従来よりあった。また、インシュロックタイのマウントは、例えば粘着テープなどにより盤内の内側壁面に貼り付けるタイプのものが多いが、このようなマウントは、各製作所あるいは個人間の格差により貼り付け位置が異なるものとなり、美観を損ね商品価値を落とすので問題であった。
【０００６】
また、従来の表示灯は個々に設けられ、それぞれの表示灯または表示灯が搭載された回路板から配線を外部へ延ばしていた。さらに、表示灯からの配線または別の表示灯からの配線とを合わせた配線束のための配線路を設けておらず、配線または配線束を火災表示機の盤内で引き回すときに配線等がばらつかないように必要に応じて整線具で束ねる必要があった。
【０００７】
この発明は、上述のような課題を解決するためになされたもので、盤内の配線束をばらけ難く且つ整然と整線することができ、また整線具のマウントを不要とするので省スペースとなり美観を向上させることができる表示ユニットを得ることを目的とする。
【０００８】
【課題を解決するための手段】
この発明に係る表示ユニットは、主面に複数の表示窓が穿孔された基体と、基体の背面側に取り付けられ各々の表示窓に対応した位置にそれぞれ表示灯を搭載し外部へ延びる配線束が接続される回路板と、基体の背面に立設された概略逆Ｊ字状を成し配線束を整線する整線フックと、整線フックの整線方向に並び、かつ、基体の側壁面の配線束が通過する位置に設けられた一対の整線枠口と、を有する表示ユニットであって、整線フックは、一対の整線枠口を結ぶ直線から偏倚している。
【０００９】
また、整線フックの屈曲部外周に滑り止め手段を設けている。
【００１３】
【発明の実施の形態】
実施の形態１．
図１は火災表示機の扉の表面を示す正面図である。図２は火災表示機の扉の裏面を示す正面図である。図３は表示部ユニットの基体の詳細を示す正面及び側面から見た説明図である。図４は表示ユニットの背面から見た構造を示す分解斜視図である。図５は並設された表示ユニットの様子を示す斜視図である。図６は火災表示機の他の例を示す火災表示機の扉を開いた様子を示す概観図である。
【００１４】
図１において、火災報知装置の例えば火災表示機５０の筐体１の表面１ａには、複数の表示ユニット６０が並べて設けられている。各々の表示ユニット６０は、筐体１に整列して穿孔された複数のユニット取付穴１ｃにそれぞれはめ込まれて取り付けられている。本実施の形態の火災表示機５０には６個のユニット取付穴１ｃが設けられ、そのうち５個のユニット取付穴１ｃに表示ユニット６０が取り付けられている。使用していない残る１個のユニット取付穴１ｃには、不要取付穴目隠板１ｄが取り付けられている。これは、不要なユニット取付穴１ｃを目隠して美観を良くするためと、様々な数のユニット取付穴１ｃを設けた筐体を製作する必要をなくし標準化を図るためである。
【００１５】
１個の表示ユニット６０には、例えば５個の表示窓２ｂが設けられている。表示窓２ｂは表示ユニット６０に形成された凹部からなり、表示窓２ｂの外周部には枠状の枠体２ｃ（図３参照）が形成されている。表示窓２ｂの一端部には、後述する表示灯３ａが透けて見えている。表示窓２ｂには表示灯３ａに隣接して回線に対応する室等の名称を記入する名称記入用紙を挿入し、この用紙を保持するための火災用、ガス漏れ用、制御用とで色の異なる透明保護板取りつける名称部が設けられている。
本実施の形態の図１の右列中段の表示ユニット６０においては、５個の表示窓２ｂのうち使用していない２個の表示窓２ｂに不要窓目隠板２ｊがはめ込まれている。この不要窓目隠板２ｊの目的は、上述の不要取付穴目隠板１ｄと同様であり、美観を良くするためと標準化を図るためである。
【００１６】
具体的には、例えば汎用に設計された表示ユニット６０の表示窓２ｂ数が本実施の形態のように５個であり、実際に設備された回線数が例えば２３個などと５の倍数でない場合、空き回線２つ分の使用しない表示窓２ｂを不要窓目隠板２ｊで覆うことにより、使わない表示窓２ｂとして見やすく分かり易いものとすることができる。
【００１７】
図２において、火災表示機５０の扉の裏面１ｂには、筐体１にはめ込まれた表示ユニット６０の背面が露出している。そして、表示ユニット６０群の隣には例えばブザー等の隣接機器９が設けられている。
【００１８】
図３及び図４に沿って表示ユニット６０の詳細を説明する。表示ユニット６０は、まず図３に示される形状の例えばプラスチックで作製された概略平板状の基体２を有している。基体２の主面には５個の表示窓２ｂが設けられている。基体２の外周部には、全周にわたって側壁面２ｅが立設されている。
【００１９】
図４に示されるように、基体２の背面に表示灯、コネクタ等の電気部品が取り付けられている回路板（プリント基板）３が設けられている。回路板３は基体２のほぼ半分を覆うように配置されている。回路板３の基体２側面には、それぞれの表示窓２ｂに対応した位置に図示しない表示灯が各々搭載されている。この表示灯は、表示窓２ｂの一端部に形成された丸形の貫通穴を通して基体２の表側から見える構造とされている。
【００２０】
回路板３は、基体２に立設された回路板取付手段としての回路板取付爪２ｄに係合され、さらにネジ穴３ｃに挿入されたビス４で締着されて基体２に固定されている。回路板３の外周部の所定の位置にコネクタ３ｂが設けられている。コネクタ３ｂには、火災受信機へ延びる配線束５が接続されている。
【００２１】
図３及び図４に良く示されるように、基体２の背面において、回路板３が設けられていないコネクタ３ｂ側の空間に、概略逆Ｊ字状を成す整線フック６がモールド製法により基体２一体に成形されて立設されている。この整線フック６は、基体２に対して垂直に立つ基部６ａと、この基部６ａの先端から基体２と平行に回路板３側に延びる平行部６ｂと、この平行部６ｂの先端から基体２に対して垂直に下垂する下垂部６ｃとから成り、平行部６ｂの先端の下垂部６ｃと反対側に、滑り止め手段としての突起６ｅが突設されている。平行部６ｂと下垂部６ｃとは整線フック６の鉤部を構成し、この鉤部は後で説明するように、回路板３に接続される配線束５を整線する。
【００２２】
同じく、基体２の背面側主面には、整線フック６の鉤部と対向するようにリブ７が設けられている。リブ７は図２中矢印Ａで示す配線束５の整線方向に延びるように形成されている。このリブ７は、後で述べるように整線フック６と協同して配線束５を整線する働きをする。さらに、このリブ７は、表示窓２ｂの枠体２ｃに対して直角方向に設けられているので、基体２の強度を向上させている。
【００２３】
リブ７の延長線上にあたる対向する上下の側壁面２ｅには、配線束５が通過する位置にＵ字型の切り欠きである整線枠口２ｆが図４の左側壁面２ｅから同位置に設けられている。これによって２つの表示ユニットを上下に連なるようにした時、２つの整線枠口２ｆに配線束５が通過し易いようになる。
また、側壁面２ｅの外側面には表示ユニット取付手段２ｇが４ヶ所に設けられている。表示ユニット取付手段２ｇは、側壁面２ｅに対して出没可能に設けられた断面楔形状の突部で、表示ユニット６０が筐体１のユニット取付穴１ｃにはめ込まれる際、押圧されて表示ユニット６０を固定する。
【００２４】
基体２の外周部であって整線枠口２ｆの近傍には、配線束５を束ねる整線具としてのインシュロックタイ８を固定するための整線具取付部２ｈが設けられている。整線具取付部２ｈは、基体２から立設するボスとして形成されている。ボス穴内には、インシュロックタイ８を固定するためのビスを締着させるために雌ねじを螺刻してもよい。
【００２５】
このような構成の火災表示機５０においては、図５に示されるように、複数の表示ユニット６０が矢印Ａに示す整線方向に並べて配置されている。そして、図５中▲１▼の表示ユニット６０の回路板３から延出した配線束５は、整線枠口２ｆを通って▲２▼の表示ユニット６０を通過し、さらに▲３▼の表示ユニット６０を通過し、その後、盤内で直角に向きを変える。また、▲２▼の表示ユニット６０から延出した配線束５は、▲１▼の表示ユニット６０の配線束５とともに▲３▼の表示ユニット６０を通過する。そして、▲３▼の表示ユニット６０の中で、３個の表示ユニット６０から延びる配線束５が１つの束になり、▲３▼の表示ユニット６０から出る。その後、この束は筐体１の表面１ｂに平行のまま直角に向きを変える。
なお、２つの表示ユニットを整線束５が通過する際、上側の表示ユニットの下方の整線枠口２ｆと下側の表示ユニットの上方の整線枠口２ｆがそれぞれ同位置に設けられているので、整線束５は曲がるようなことなく通過することができる。
また、複数の表示ユニットを並設するとそれぞれの整線枠口によって配線束がばらけにくくなる。
【００２６】
▲１▼の表示ユニット６０の配線束５は、▲２▼の表示ユニット６０を通過する際、▲２▼の表示ユニット６０のリブ７にガイドされながら▲２▼の表示ユニット６０の整線フック６の内側を通過する。さらに、▲１▼の表示ユニット６０と▲２▼の表示ユニット６０の配線束５は、▲３▼の表示ユニット６０のリブ７にガイドされながら整線フック６の内側を通過する。
【００２７】
一方、▲３▼の表示ユニット６０の整線具取付部２ｈには、整線具としてのインシュロックタイ８が固定されており、このインシュロックタイ８は、３つの配線束５を直角に向きを変えた後の位置で結束している。
【００２８】
このように、本実施の形態の表示ユニット６０においては、概略逆Ｊ字状の整線フック６に対向して配線束５の整線方向と平行に形成されたリブ７を設けたので配線がばらけ難くなり、同時にリブ７は枠体２ｃに対して直角に形成しているので表示ユニット６０の基体２が補強される。更に、整線フック６がＪ字に見えるように側方から整線フック６とリブ７を見た時に、リブ７を整線フック６の先端すなわち下垂部６ｃより少し内側つまり基部６ａ側に位置して対向させると、配線が上側（空中側）よりも、下側（基体２側）にはじけ出る傾向が強くなるので、そのときに基体２に阻まればらけ難くなる。
【００２９】
また、リブ７を、基体２の前面側に形成された複数の表示窓２ｂの枠体２ｃに対して、基体２の背面に直角に形成することにより、基体２の強度がより強められ、基体２はより薄く作製することができる。
【００３０】
尚、整線フック６は、必ずしも逆Ｊ字状である必要はなく、逆Ｌ字状であってもある程度の効果を得ることができる。ただし、リブ７と協同して整線を行うには、下垂部６ｃを有する逆Ｊ字状であることが望ましい。そして、整線フック６の基部６ａ、平行部６ｂ及び下垂部６ｃは、互いに直角を成す必要はなく、湾曲しながら形成されても良いことは言うまでもない。
【００３１】
また、本実施の形態の表示ユニット６０においては、配線束５が通過する位置の近傍に、配線束５を束ねるインシュロックタイ８を固定する整線具取付部２ｈを設けたので、複数並設された表示ユニット６０のうち、最端部すなわち配線束５の出口に配置された表示ユニット６０から配線束５が延出される際に、整線具取付部２ｈに固定されたインシュロックタイ８によって配線束５を束ねることにより、表示ユニット６０から延出した直後の配線束を整えることができ、配線束５の占有スペースを最小限とすることができ、隣接機器９との間のスペースも小さくすることができる。
【００３２】
このような整線具取付部２ｈが無ければ、最端部の表示ユニット６０の配線出口直近に整線具を固定する取付部を別途設ける必要が発生しそのスペースがいるとともに部品点数も増加する。また、別途取付部として貼着式のマウントを用いると、その貼着位置は工場や担当者によってまちまちとなり、商品として好ましくないものとなる。
【００３３】
また、本実施の形態の表示ユニット６０においては、整線フック６は、２つの整線枠口２ｆを結ぶ直線から偏倚している。そのため、一方の整線枠口２ｆから他方の整線枠口２ｆに亘る電線の本数が少ないときにおいても、適当な引っ掛かり張力が発生することとなり整線フック６の電線保持力が向上しさらに配線束がばらけ難くなる。
また、本実施の形態の表示ユニット６０においては、整線枠口２ｆや整線フック６のように、基体２の背面側には互いに開口部の方向が異なる複数の整線手段、例えば基体２に対して上向きに開口する整線枠口２ｆと基体２に対して側方に開口する整線フック６を設けているので、配線束がばらけ難くなる。更に、これらの整線手段が基体２と一体成形しているので、部品が少なくて済む。
なお、１つの表示ユニットにおいて整線フック６と２つの整線枠口２ｆとを直線状に配置し、配線束５を通しやすくするようにしてもよい。
また、整線フックと２つの整線枠口２ｆを設けることで配線束をばらけにくくしている。
【００３４】
さらに、整線フック６の屈曲部外周に滑り止め手段としての突起６ｅが設けたので、多数本の配線束を整線フック６の中に取り込む際に、突起６ｅに指を掛けて配線の取り込み口を容易に拡げることができ作業性が向上する。整線フック６は、モールド製法により基体２と同時に成形されプラスチックで作製されているので弾性を有し、突起６ｅに指を掛けて容易に傾けることができる。
【００３５】
尚、滑り止め手段としては突起６ｅに限るものではなく、段差或いは凹部であっても良い。また、突起６ｅは必ずしも下垂部６ｃと反対の位置に設ける必要はなく屈曲部（基部６ａの上部、平行部６ｂ及び下垂部６ｃ）外周部に設けられれば所定の効果を得ることができる。
また、本実施の形態の火災報知装置において、上述した表示ユニット６０を図５又は図２に示すように１列または複数列に連結することによって、１つの列におけるそれぞれの表示ユニット６０の整線枠口２ｆによって配線または配線束のための配線路が形成されるので、これらの整線枠口２ｆ内に配線又は配線束が配置することができ、配線又は配線束がばらけにくくなる。
【００３６】
また、連結された１つの列におけるそれぞれの表示ユニット６０の整線フック６によって配線または配線束のための配線路が形成されるので、この列における配線又は配線束が押さえられて、配線又は配線束がばらけにくくなり、別途に配線又は配線束を束ねる整線具を設ける必要がない。
【００３７】
さらに、連結された１つの列におけるそれぞれの表示ユニット６０の整線フック６及び整線枠口２ｆによって配線または配線束のための配線路が形成されるので、配線又は配線束が押さえられ、配線又は配線束を配線の引き回し方向にばらけずに配置することができる。
【００３８】
なお、配線路は、１列または複数列に連結された複数の表示ユニット６０において、その１つの列における表示ユニット６０群の整線枠口２ｆまたは整線フックからなる空間であってもよい。さらに、配線路は、１列または複数列に連結された複数の表示ユニット６０において、その１つの列における表示ユニット６０群の整線枠口２ｆ及び整線フックからなる空間であってもよい。
【００３９】
なお、本実施の形態では表示ユニットを縦に連結して説明したが、表示ユニットを横に連結し、それぞれの表示ユニットの整線枠口、整線フック等を連結方向に合わせて設けるようにしてもよい。
また、実施の形態として火災表示機の例を用いたが、これを火災受信機等他の表示窓のある火災報知装置に用いてもよい。
【００４０】
【発明の効果】
この発明に係る表示ユニットは、主面に複数の表示窓が穿孔された基体と、基体の背面側に取り付けられ各々の表示窓に対応した位置にそれぞれ表示灯を搭載し外部へ延びる配線束が接続される回路板と、基体の背面に立設された概略逆Ｊ字状を成し配線束を整線する整線フックと、整線フックの整線方向に並び、かつ、基体の側壁面の配線束が通過する位置に設けられた一対の整線枠口と、を有する表示ユニットであって、整線フックは、一対の整線枠口を結ぶ直線から偏倚しているので、一方の整線枠口から他方の整線枠口に亘る電線の本数が少ないときにおいても、適当な引っ掛かり張力が発生することとなり、整線フックの電線保持力が向上し、さらに配線束がばらけ難くなる。
【００４１】
また、整線フックの屈曲部外周に滑り止め手段を設けている。よって、多数本の配線束を整線フックの中に取り込む際に、突起に指をかけて配線の取り込み口を容易に拡げることができ、作業性が向上する。
【図面の簡単な説明】
【図１】  火災表示機の表面を示す正面図である。
【図２】  火災表示機の裏面を示す正面図である。
【図３】  表示部ユニットの基体の詳細を示す正面及び側面から見た説明図である。
【図４】  表示ユニットの構造を示す分解斜視図である。
【図５】  並設された表示ユニットの様子を示す斜視図である。
【図６】  火災表示機の他の例を示す火災表示機の扉を開いた様子を示す概観図である。
【符号の説明】
１  筐体、１ａ  表面、１ｂ  裏面、１ｃ  ユニット取付穴、１ｄ  不要取付穴目隠板、２  基体、２ａ  主面、２ｂ  表示窓、２ｃ  枠体、２ｄ  回路板取付爪（回路板取付手段）、２ｅ  側壁面、２ｆ  整線枠口、２ｇ  表示ユニット取付手段、２ｈ  整線具取付部、２ｊ  不要窓目隠板、３  回路板、３ａ  表示灯、３ｂ  コネクタ、３ｃ  ネジ穴、４  ビス、５  配線束、６  整線フック、６ａ  基部、６ｂ  平行部、６ｃ  下垂部、６ｅ  突起（滑り止め手段）、７  リブ、８  インシュロックタイ（整線具）、９  隣接機器、５０  火災表示機、６０  表示ユニット、Ａ  整線方向。
【図１】
0003894290.tif 000002
【図２】
0003894290.tif 000003
【図３】
0003894290.tif 000004
【図４】
0003894290.tif 000005
【図５】
0003894290.tif 000006
【図６】
0003894290.tif 000007